(57)【要約】      （修正有）【課題】ずれにくく、着用容易であり、着用者に不快感を与えない、乳幼児、身体の不自由な老人や病人、認知症の患者等が着用にするのに適したよだれ掛けを提供する。【解決手段】前掛け部と前掛け部から延出した首掛け部とからなるよだれ掛けにおいて、首掛け部の内周縁であって着用者の首後部に対応する位置に折り返し片を有すること。【選択図】図３
2006299431.tif 000002
【特許請求の範囲】
【請求項１】
前掛け部と前掛け部から延出した首掛け部とからなるよだれ掛けにおいて、首掛け部の内周縁であって着用者の首後部に対応する位置に折り返し片を有することを特徴とするよだれ掛け。
【請求項２】
折り返し片は、首掛け部の左右中間点からその左右にまたがって位置していることを特徴とする請求項１記載のよだれ掛け。
【請求項３】
折り返し片は、複数であり、首掛け部の左右中間点からその左右に隔離して位置していることを特徴とする請求項１記載のよだれ掛け。
【請求項４】
折り返し片は、柔軟な布若しくはネットで形成され、首掛け部の内周縁に縫着されるか、首掛け部の内周縁から延出していることを特徴とする請求項１〜請求項３いずれか１項記載のよだれ掛け。
【請求項５】
折り返し片の表面に、シリコーンゴムが付着していることを特徴とする請求項１〜請求項４いずれか１項記載のよだれ掛け。
【請求項６】
シリコーンゴムが縞状、散点状若しくは海島状に付着していることを特徴とする請求項５記載のよだれ掛け。
【発明の詳細な説明】
【技術分野】
【０００１】
本発明は、乳幼児、身体の不自由な老人や病人、認知症の患者等が着用するのに適したよだれ掛けに関する。
【背景技術】
【０００２】
よだれ掛けは、通常、前掛け部が着用者の胸部上、すなわち顎の真下にくるように配置し、前掛け部の左右上端に首掛け用の紐を有し首の後で紐を結ぶか、前掛け部の左右上端から延出した首掛け部の先端同士、あるいは、前掛け部の左上端若しくは右上端から延出した首掛け部の先端と前掛け部の右上端若しくは左上端の受け部とをボタン留め等して装着する。
【０００３】
しかし、着用者が繰り返し首を左又は右にねじったり、上半身を左又は右にねじったりすると、よだれ掛けが首を中心として左又は右に回転し、前掛け部がずれて顎の真下に位置しなくなり、用をなさなくなることが多い。
【０００４】
よだれ掛けのこのような回転によるずれを防止するために、よだれ掛けの前掛け部左右下端を基点とした紐を胴体の背中側にまわしてよだれ掛けを固定するよだれ掛けが知られている。しかしながら、背中で左右下端からの紐を結ぶため結び目が生じ、仰向けの状態になると背中にごろごろ感を感じたり、紐を結ぶ手間がかかるという問題がある。さらに丈の短いよだれ掛けの場合は、胸部にまわす紐を装着できないという問題もある。
【０００５】
また、よだれ掛けの前掛け部上端に折り返し片を有し、折り返し片が衣服の胸側襟元上端部にまたがるように下方に折り返され、衣服と下着若しくは胸部の間に挿入されることにより、よだれ掛けのずれを防止するという襟元二重よだれ掛けが公知である(特許文献１)。しかしながら、胸側では、上着上端部と下着上端部、あるいは、下着上端部と胸部は通常密接しにくく、挿入された折り返し片が上着上端部と下着上端部の間、あるいは、下着上端部と胸部の間に強く挟まれにくいため左又は右へのずれ防止効果が不十分であるという問題がある。また、衣服のよごれ防止を主眼としているため、よだれ掛けを二重にするための長さが必要となり、折り返し片を衣服と下着若しくは胸部の間に挿入しにくい。さらには、衣服の胸側襟元の湾曲に対して前掛け部上端の折り返しは直線となるため、首元に折り返し部が当り、着用者に不快感をもたらすという問題がある。
【０００６】
【特許文献１】特開平１０−２９８８０２
【発明の開示】
【発明が解決しようとする課題】
【０００７】
かかる状況に鑑み、本発明者は上記問題点のないよだれ掛けを開発すべく鋭意研究した結果、よだれ掛けの着用者の首を中心とした回転によるずれを防止し、着用容易であり、着用者に不快感を与えないよだれ掛けを発明するに至った。本発明の目的は、よだれ掛けの着用者の首を中心とした回転によるずれが防止され、着用容易であり着用者に不快感を与えないよだれ掛けを提供することにある。
【課題を解決するための手段】
【０００８】
上記課題は下記のよだれ掛けによって解決される。
［１］前掛け部と前掛け部から延出した首掛け部とからなるよだれ掛けにおいて、首掛け部の内周縁であって着用者の首後部に対応する位置に折り返し片を有することを特徴とするよだれ掛け。
［２］折り返し片は、首掛け部の左右中間点からその左右にまたがって位置していることを特徴とする［１］記載のよだれ掛け。
［３］折り返し片は、複数であり、首掛け部の左右中間点からその左右に隔離して位置していることを特徴とする［１］記載のよだれ掛け。
［４］折り返し片は、柔軟な布若しくはネットで形成され、首掛け部の内周縁に縫着されるか、首掛け部の内周縁から延出していることを特徴とする［１］〜［３］いずれか記載のよだれ掛け。
［５］折り返し片の表面に、シリコーンゴムが付着していることを特徴とする［１］〜［４］いずれか記載のよだれ掛け。
［６］シリコーンゴムが縞状、散点状若しくは海島状に付着していることを特徴とする［５］記載のよだれ掛け。
【発明の効果】
【０００９】
請求項１〜請求項６のよだれかけは、着用者の首後部において折り返し片が上着又は下着の上端部をまたぐように折り返すことができ、折り返し片は上着上端部と下着上端部、あるいは、下着上端部と首後部の間に強く挟まれ、密着するので、よだれ掛けの首を中心とした回転によるずれを防止できる。首後部に位置する衣服上端部は、胸部側に位置する衣服上端部と違って、衣服の重みによって胸部方向に引っ張られているので、折り返し片は強く挟まれ密着する。またよだれ掛けの前掛け部左右下端を基点とした紐を胴体の背中側にまわしてよだれ掛けを固定するよだれ掛けのように紐を使用しないので、着用が容易であり、着用時の不快感もない。請求項２、請求項３のよだれ掛けは、折り返し片と衣服との間の摩擦力が首掛け部の左右中間点を中心とした左右で生じるため、よだれ掛けの首を中心とした回転によるずれを有効に防止することができる。請求項４のよだれ掛けは、折り返し片が柔軟な布若しくはネットで形成されているため、着用時の違和感が低減している。請求項５のよだれ掛けは、折り返し片にシリコーンゴムが付着しているため、折り返し片と衣服との間の摩擦力が大きく、通常の布若しくはネットに比べて、よだれ掛けの首を中心とした回転によるずれを有効に防止することができる。請求項６のよだれ掛けは、シリコーンゴムの付着量を少なくすることができるので、コストメリットがある。特に、シリコーンゴムを首掛け部の内周縁に沿った方向に対して直角に縞状を配した場合、並行に配した場合に比べて、折り返し片と衣服との間の摩擦力が顕著に増加する。
【発明を実施するための最良の形態】
【００１０】
本発明におけるよだれ掛けは、よだれのたれ落ちによる衣服の汚れを防止するためのいわゆるよだれ掛けのみならず、食物や飲物が口の中や口の近辺から落下することによる衣服の汚れを防止するための前掛けを意味している。よだれ掛けの前掛け部は、布製、人工皮革製、布とプラスチックフィルムの積層物製が例示される。布は織物、編物、不織布のいずれでもよく、そのための繊維は天然繊維（例：木綿、羊毛、絹、麻）、半合成繊維（例：レーヨン、ステープル、アセテート）、合成繊維（例：ナイロン、ポリエステル、ポリアクリロニトリル）、これら繊維の混紡糸のいずれでもよい。
【００１１】
よだれ掛けの首掛け部も同様である。首掛け部は、様々の幅をとることができるが、着用者の首の後では３ｃｍ以上であることが好ましい。首掛け部と折り返し片の間に衣服の上端部が挟まれて、これらの間の摩擦力を十分にとることによりよだれかけの回転によるずれを有効に防止するためである。首掛け部は、（１）前掛け部の左上端若しくは右上端近辺から延出して右側若しくは左側に湾曲し、ついで下方に湾曲して、前掛け部の右上端若しくは左上端近辺の受け部に当接可能なもの、（２）前掛け部の左上端近辺から延出して右側に湾曲した左側首掛け部と、前掛け部の右上端近辺から延出して左側に湾曲した右側首掛け部とからなり、着用者の首の後若しくは側部で両先端が当接可能なものが例示される。（１）は、首掛け部の先端近辺と受け部のいずれか又は両方に留め具を有しており、留めることによりリング状となる。（２）は、左側首掛け部の先端近辺、右側首掛け部の先端近辺のいずれか又は両方に留め具を有しており、留めることによりリング状となる。留め具は、クリップ、スナップボタン、ボタン、安全ピン、面ファスナーが例示される。留めはずしの容易さと仰向け状態での異物感の無さの点でスナップボタンと面ファスナーが好ましい。
【００１２】
折り返し片は、首掛け部の内周縁に位置しており、よだれ掛け着用時に着用者の首後部に対応する位置にある。ここで首後部とは、両耳の真下より首の真後側（背中側）を意味する。折り返し片は、首掛け部の左右中間点からその左右に均等に位置していることが望ましい。折り返し片が複数のときは、左側首掛け部の内周縁と右側首掛け部の内周縁に折り返し片が各１枚又は２枚存在することが例示される。折り返し片は、首掛け部と同一又は異なる素材でできており、首掛け部の内周縁に縫着若しくは接着されているもの、首掛け部の内周縁から延出しているものが例示される。折り返し片は布若しくはネットで形成されていることが好ましく、布若しくはネットはガーゼのように柔軟であることが望ましい。首掛け部の内周縁に沿った方向の折り返し片の長さは、３ｃｍ〜着用者の首全周の長さの半分が望ましく、５ｃｍ〜着用者の首全周の長さの半分がより望ましい。折り返し片が複数のときは合計の長さが前記のとおりである。上記方向に対して直角方向の長さは２ｃｍ〜首掛け部の当該方向の長さが望ましく、３ｃｍ〜首掛け部がより望ましい。もっとも、折り返し片が摩擦力の大きな布若しくはネットから形成されている場合は、上記２つの長さは当該長さ以下となってもよい。
【００１３】
摩擦力は、布を構成する糸の径の大小や毛羽立てなどにより向上することができるが、折り返し片の布表面にやや粘着性のあるゴム、例えばシリコーンゴム、変性シリコーンゴム又はポリウレタンゴムを付着させることにより顕著に向上できる。シリコーンゴム等は布の全体に付着させてもよいが、経済性と感触の点で縞状、海島状又は散点状に付着させた方が好ましい。シリコーンゴムは、ペースト状であり、チューブやカートリッジに収納されていて、チューブやカートリッジから吐出すると、空気中の湿気により硬化するタイプ（１液湿気硬化性タイプ）、別々の容器に入っているペースト状の主剤と硬化剤を混合すると室温又は加熱下で硬化するタイプ（２液硬化性タイプ）、粘土状であり加熱すると硬化するタイプのいずれでもよい。
【実施例】
【００１４】
本発明の実施例を図面に基づいて説明する。実施例と比較例中の前掛け部と首掛け部は木綿製であり、折り返し片はガーゼである。
【００１５】
［実施例１］
図１は、前掛け部１の左上端から左側首掛け部２ａが長く延出して右側に湾曲し、さらに下方に湾曲し、当該首掛け部２ａの内周縁の途中に折り返し片３ａを有するよだれ掛けＡ１の正面図である。図２は、図１に示すよだれ掛けＡ１の折り返し片３ａが折り返されておらず、左側首掛け部２ａの先端近辺にあるスナップボタン４ａと受け部２ｂの先端近辺にあるスナップボタン４ｂを留めた状態の斜視図である。図３は、図２に示すよだれ掛けＡ１の折り返し片３ａが首掛け部２ａの内側（着用者の首側）に折り返されている状態の斜視図である。図４は、折り返し片３ａが衣服５の襟元上端部５ａにまたがるように下方に折り返された状態におけるX−X´線断面図である。折り返し片３ａは左側首掛け部の左右中間点から左右に均等に位置し、左側首掛け部の内周縁に縫い付けられている。図１に示すよだれ掛けＡ１を着用者の首に装着するには左側首掛け部２ａと前掛け部１の上辺で形成される湾状の空所に着用者の首を入れ、左側首掛け部２ａの先端にあるスナップボタン４ａを前掛け部１の右上端にある受け部２ｂの先端にあるスナップボタン４ｂにはめ込むと図２、図３に示す形状となる。よだれ掛けＡ１を着用した状態で折り返し片３ａを折り返して着用者の衣服の上端部にまたがらせるには、図２に示すように左側首掛け部２ａの内周縁に縫着されている折り返し片２ａを指で持ち上げ、図４に示すように衣服５の上端部５ａをまたぐように下方に折り返す。着用者が衣服２枚以上着用しているときは、どの衣服の上端部にまたがらせてもよいが、折り返し３ａが２枚の衣服の上端部間に挟まれるように折り返すと、ずれ防止効果が顕著に向上する。スナップボタンの代わりに面ファスナーを具備していてもよい。
【００１６】
［実施例２］
図５は、左側首掛け部２ａと右側首掛け部２ｂの長さが等しく、各首掛け部２ｃ、２ｄに折り返し片３ｂ、３ｃを有するよだれ掛けＡ２の正面図である。前掛け部１の左上端部から左側首掛け部２ｃが上方に延出し、途中で右側に湾曲し、首掛け部１の右上端部から右側首掛け部２ｄが上方に延出し、途中で左側に湾曲し、両首掛け部の先端同士が当接可能である。左側首掛け部２ｃの先端近辺にスナップボタン４ａが存在し、その手前の内周縁に折り返し片３ｂを有し、右側首掛け部２ｄの先端近辺にスナップボタン４ｂが存在し、その手前の内周縁に折り返し片３ｃを有し、スナップボタン４ａとスナップボタン４ｂを留めることにより、左側首掛け部２ｃ、右側首掛け部２ｄ、前掛け部１はリングを形成し、よだれ掛けＡ２は着用者の首から外れなくなる。スナップボタンの留めを外せば、よだれ掛けＡ２は着用者の首から外すことができる。スナップボタンの代わりに面ファスナーを具備してもよい。
【００１７】
［実施例３］
図６は、図２に示すよだれ掛けＡ１において、折り返し片３ａの片面（図４における折り返し片３ａが衣服５の上端部に接触する面）にシリコーンゴム６が縞状に薄く付着したよだれ掛けＡ３の斜視図である。シリコーンゴム６は左側首掛け部２ａの内周縁に沿った方向に対して直角に付着している。
【００１８】
[実施例４、比較例］
本発明のよだれ掛けのずれ防止効果を従来のよだれ掛け及び特許文献１のよだれ掛けと比較実験した。図７は、折り返し片がなく、長さが等しい左側首掛け部２ｃと右側首掛け部２ｄを有する従来のよだれ掛けＢ１の正面図である。図８は、前掛け部１の左側上端から紐７ａが延出し、前掛け部１の右側上端から紐７ｂが延出し、首の後で両紐の先端付近を結ぶことができ、前掛け部１の上端に折り返し片３ｄを有するよだれ掛けＢ２（特許文献１に示されるよだれ掛け）の正面図である。折り返し片３ｄは、着用者の高さ方向の長さが１０ｃｍ、横方向の長さが８ｃｍである。図９は、実施例２のよだれ掛けＡ２である。首掛け部の内周縁に沿った方向に対して直角の方向の長さは４．５ｃｍである。また、首掛け部の内周縁に沿った方向の折り返し片の長さは４ｃｍ、この方向に対して直角の方向の長さは７ｃｍであり、この大きさの折り返し片が左右に各１枚ずつある。図１０は、実施例２のよだれ掛けＡ２においてシリコーンゴム６が折り返し片３ｅ、折り返し片３ｆ全体に付着しているよだれ掛けＡ４の正面図である。比較実験においては、前記よだれ掛けＢ１、前記よだれ掛けＢ２、前記よだれ掛けＡ２、前記よだれ掛けＡ４について、次の２つ条件でずれ度θを計測した。図１１は、よだれ掛けＢ１がずれていない状態を示しており、図１２は、よだれ掛けＢ１がずれている状態を示している。ずれ度θは着用者の体の中心線とよだれ掛けの周端が交わる点Ｑ（図１２）と前掛け部１を上下、左右に２分した交叉点Ｐと前掛け部下端の中心点Ｙからなる∠ＱＰＡである。条件１：七歳男児が各よだれ掛けを着用し、顎を引いてよだれ掛けに押し付け、押し付けた状態で首を右方向に回した。同一よだれ掛けについて当該行為１０回を２セット行った。条件２：七歳男児が各よだれ掛けを着用し、Ｘ地点を前掛け部中心線に対して９０度の方向に同じ強さで引っ張った。同一よだれ掛けについて当該行為１０回を２セット行った。なお、各条件での実験において、折り返し片を有するよだれ掛けを試験体とする場合、首掛け部と折り返し片の折り返し部を上着と下着の双方にまたがらせ、折り返し片を下着と着用者の皮膚の間に挿入した。条件１の実験結果を表１に、条件２の実験結果を表２に示す。ずれ防止効果は、よだれ掛けＡ４＞よだれ掛けＡ２＞よだれ掛けＢ２＞よだれ掛けＢ１であり、本発明の特徴である折り返し片のずれ防止効果、特にシリコーンゴム付き折り返し片のずれ効果がよく現れている。
【００１９】
【表１】
2006299431.tif 000003
単位：度
【００２０】
【表２】
2006299431.tif 000004
単位：度
【産業上の利用可能性】
【００２１】
本発明のよだれ掛けは、乳幼児、身体の不自由な老人や病人、認知症の患者等が、よだれ掛けをずれずに着用するのに有用である。よだれのみならず、口内の食物、飲物、口近辺の食物や飲物が衣服上に落ちるのを防止するのに有効である。
【図面の簡単な説明】
【００２２】
【図１】図１は実施例１のよだれ掛けＡ１の正面図である。
【図２】図２は実施例１のよだれ掛けＡ１の折り返し片３ａが折り返されていない状態の斜視図である。
【図３】図３は実施例１のよだれ掛けＡ１の折り返し片３ａが下方に折り返されている状態の斜視図である。
【図４】図４は図３のよだれ掛けＡ１において、折り返し片３ａが衣服５の上端部にまたがるように折り返された状態の断面図である。
【図５】図５は実施例２のよだれ掛けＡ２の正面図である。
【図６】図６は実施例３のよだれ掛けＡ３の斜視図である。
【図７】図７は従来のよだれ掛けＢ１の正面図である。
【図８】図８は特許文献１のよだれ掛けＢ２の正面図である。
【図９】図９は実施例４のよだれ掛けＡ２の正面図である。
【図１０】図１０は実施例４のよだれ掛けＡ４の正面図である。
【図１１】図１１は実施例４のよだれ掛けＢ１がずれていない状態を示す模式図である。
【図１２】図１２は実施例４のよだれ掛けＢ１がずれている状態を示す模式図である。
【符号の説明】
【００２３】
１    前掛け部
２ａ  左側首掛け部
２ｂ  受け部
２ｃ  左側首掛け部
２ｄ  右側首掛け部
３ａ  折り返し片
３ｂ  折り返し片
３ｃ  折り返し片
３ｄ  折り返し片
３ｅ  折り返し片
３ｆ  折り返し片
４ａ  スナップボタン
４ｂ  スナップボタン
５    衣服
５ａ  衣服の上端部
６    シリコーンゴム
７    紐
【図１】
2006299431.tif 000005
【図２】
2006299431.tif 000006
【図３】
2006299431.tif 000007
【図４】
2006299431.tif 000008
【図５】
2006299431.tif 000009
【図６】
2006299431.tif 000010
【図７】
2006299431.tif 000011
【図８】
2006299431.tif 000012
【図９】
2006299431.tif 000013
【図１０】
2006299431.tif 000014
【図１１】
2006299431.tif 000015
【図１２】
2006299431.tif 000016